(57)【要約】      （修正有）【課題】一般家庭で誰でもが簡単に扱える回転式おろし器を提供する。【解決手段】本体おろし器１は、円形の摺りおろし面１５の縁に、立ち上がりの枠４を設け、その中央に回転軸５を、外側に取っ手８を設ける。回転式合わせ蓋２は、本体おろし器１の枠４の内径に収まるように円形形体に構成する、その中央に回転軸通し穴１１を設け、その上部にハンドル７を設ける、その底面１８にトゲ刃１２を複数設ける。本体おろし器１に回転式合わせ蓋２を重ね合わせて、手動で回転操作を行う。【選択図】図２
0003174408.tif 000002
【実用新案登録請求の範囲】
【請求項１】
本願明細書または図面に記載の考案。
【考案の詳細な説明】
【技術分野】
【０００１】
本考案は、一般家庭で使用する大根おろし器に関するものである。
【背景技術】
【０００２】
わが国では急速に高齢化が進んでおり一般家庭で使用する大根おろし器は、今も平板状のおろし器に、野菜の固まりを持って摺りおろすものが一般的で、高齢者にとっては困難な作業であって、手に負担がかかり怪我もあり、健康な成人でも厳しい作業である。
【先行技術文献】
【特許文献】
【０００３】
【特許文献１】特開２００７−３３０７１５号公報
【特許文献２】特開２００６−２６１７７号公報
【考案の概要】
【考案が解決しようとする課題】
【０００４】
解決しようとする課題は、文献、(特許文献１)と(特許文献２)のおろし器は、共に、ハンドル付き回転式機能は理想であるが、部品が多く複雑な構成であるのと、野菜の固まりを回転させて摺りおろす機能が不安定で高齢者には扱い難い。したがって、一般家庭では、安全な機能構成で能率が良く、シンプルな形体で簡単に扱え、簡単に洗えて、簡単に収納ができる必要条件が求められる。
【課題を解決するための手段】
【０００５】
本考案は、図１図２に示す、第一に本体おろし器１は、摺りおろし面15を円形に構成する、その縁に立ち上がりの枠４を設け、その中央に回転軸５を設ける、枠４の外側に取っ手８を設けて、本体おろし器１の構成にする。
第二に、回転式合わせ蓋２は、本体おろし器１の枠４の内径に収まるように円形形体に構成する。その中央に回転軸通し穴11を設ける、その上部に立ち上がりのハンドル７を設け、底面18にトゲ刃12を複数設けて、回転式合わせ蓋２の構成にする。
第三に、図３の断面図のように、本体おろし器１のおろし刃10と、回転式合わせ蓋２のトゲ刃12が共に接触しないように円周に沿って等間隔に位置を設ける、また、おろし刃10とトゲ刃12が破損しないように、回転式合わせ蓋２の底面18の縁と回転軸通し穴11の下部にストッパー枠13を設ける。
【考案の効果】
【０００６】
本考案の回転式おろし器の特長は、図１図２に示す、ハンドル付き回転式合わせ蓋２は、円形に構成した本体おろし器１の、回転軸５と、枠４の側面に支えられて回転するもので、持続的安定感があって、楽に回転操作をすることができる。
【図面の簡単な説明】
【０００７】
【図１】本考案の全体斜視図
【図２】本考案の全体展開図
【図３】本考案の全体断面図
【図４】図２の本体おろし器１の平面図
【図５】図４のA―Aの貫通孔９の拡大断面図
【図６】野菜大根の配置説明図
【図７】野菜人参の配置説明図
【考案を実施するための形態】
【０００８】
本考案の作業内容は、図４に示すように、摺りおろし面15が円形をしており、その形状を全面に活用するために、素材になる大根、人参、蓮根、山芋、野菜等の皮を剥き、巾、約(１ｃｍ)までの輪切り及びカットして図２の摺りおろし面15に、図６図７のように素材を重ねないように広げて置く、その上から回転式合わせ蓋２を、上から蓋をするように回転軸通し穴11に回転軸５を通しておく、左り手で取っ手８を持って右手でハンドル７を握って、回転操作を行うと受皿透明容器３に摺りおろされる。
【実施例１】
【０００９】
本考案は，野菜等を輪切り及びカットした物を、図６図７のように、摺りおろし面15一面に野菜等を広げ置くことで、摺りおろし面15一面を有効に利用でき能率が増すものである。更に、野菜等を約(１ｃｍ)巾までに輪切りにすることで、野菜が柔らかくなり回転操作での力が軽減され、素早く摺りおろせる。野菜等の巾、約(１ｃｍ)巾は、目安なので、例えば(５ｍｍ)、(７ｍｍ)と適当に目安巾を決めておき、野菜の巾を揃えるように輪切り及びカットする、多少の高低があっも良く、回転操作では、圧のかかる野菜から摺りおろされる。また、野菜等を適当な巾の縦に切っても良く、半端な細切れ野菜や生姜など、少量でも、摺りおろし面15の一面に広げて摺りおろすことができる。
【００１０】
本考案は， 図２の摺りおろし面15に、図６図７のように素材を重ねないように広げて置くことで、回転式合わせ蓋２の底面18とトゲ刃12全体で、しっかり保持され、摺りおろし面15の一面にある素材全体を回転させて摺り卸すことができる。また、例えば、素材を重ねて置くと、重なった部分の素材が、よく滑り安定が悪く、回転式合わせ蓋２のトゲ刃12全体で保持できず困難になる場合がある、図６図７のように素材を重ねないように広げて置くことが必要である。更に、図２の回転軸５の中央に空気孔６を設けることで、貫通孔９の通りが良くなり野菜の目詰まりが無くなる。
【００１１】
従来は、平板状のおろし器に野菜の固まりを持って、摺りおろすもので、摺りおろされる部分は極少量で時間がかかり、焦り、能率が悪く根気のいる作業であったが、本考案は、図６図７のように円形の摺りおろし面15の一面に、野菜等を広げて一度に短時間で摺りおろすことができる。また、何度でも回転式合わせ蓋２を持ち上げて、摺りおろし面15に次の野菜等を広げて回転操作を繰り返すことができる。誰でもが簡単に扱えて手が疲れる事がなく、高齢者も楽に摺りおろすことができる。
【符号の説明】
【００１２】
１  本体おろし器
２  回転式合わせ蓋
３  受皿透明容器
４  枠
５  回転軸
６  空気孔
７  ハンドル
８  取っ手
９  貫通孔
１０  おろし刃
１１  回転軸通し穴
１２  トゲ刃
１３  ストッパー枠
１４  回転軸ボルト
１５  摺りおろし面
１６  人参
１７  大根
１８  底面
【図１】
0003174408.tif 000003
【図２】
0003174408.tif 000004
【図３】
0003174408.tif 000005
【図４】
0003174408.tif 000006
【図５】
0003174408.tif 000007
【図６】
0003174408.tif 000008
【図７】
0003174408.tif 000009
【手続補正書】
【提出日】平成24年1月17日(2012.1.17)
【手続補正１】
【補正対象書類名】実用新案登録請求の範囲
【補正対象項目名】全文
【補正方法】変更
【補正の内容】
【実用新案登録請求の範囲】
【請求項１】
本体おろし器１は、摺りおろし面15を円形に形成する、その縁に立ち上がりの枠４を設け、その中央に回転軸５を設ける、枠４の外側に取っ手８を設けて、本体おろし器１の構成にする。回転式合わせ蓋２は、本体おろし器１の枠４の内径に収まるように円形形体に形成する、その中央に回転軸通し穴11を設ける、その上部に立ち上がりのハンドル７を設け、底面18にトゲ刃12を複数設けて、回転式合わせ蓋２の構成にする。本体おろし器１に蓋をするように回転式合わせ蓋２を重ね合わせて回転操作を手動で行う 回転式おろし器。